(57)【要約】【課題】離れた位置から手を差し伸ばしただけで、被裁断物をシュレッダー内に投入することができると共に、投入口付近における安全性を高める。    【解決手段】ハウジング１０の上面に設けられた投入口３から被裁断物を投入し、被裁断物を回転刃１２で裁断し、回転刃の下方に設けられた屑収容箱２０に排出するシュレッダー１において、ハウジング上面の一端部から投入口に至る導入面１１を、円弧状の曲面で形成する。また、ハウジング上面の一端部から前記投入口に至る導入面を、規格の用紙サイズに対応させて形成してもよい。ハウジングの上面に載置された被裁断物が円弧状の曲面を滑り落ち、円滑に投入口に導かれるようになる。【選択図】図１
2008068172.tif 000002
【特許請求の範囲】
【請求項１】
ハウジング（１０）の上面に設けられた投入口（３）から被裁断物を投入し、該被裁断物を回転刃（１２）で裁断し、該回転刃（１２）の下方に設けられた屑収容箱（２０）に排出するシュレッダー（１）において、
前記ハウジング（１０）の上面の一端部から前記投入口（３）に至る導入面（１１）を、円弧状の曲面で形成したことを特徴とするシュレッダー。
【請求項２】
前記ハウジング上面の一端部から前記投入口（３）に至る導入面（１１）を、規格の用紙サイズに対応させて形成したこと特徴とする請求項１に記載のシュレッダー。
【発明の詳細な説明】
【技術分野】
【０００１】
本発明は、紙やコンパクトディスク等の被裁断物を細かく裁断するためのシュレッダーに関し、特に、被裁断物のシュレッダー内への投入が容易で、投入口における事故を低減できるシュレッダーに関する。
【背景技術】
【０００２】
シュレッダーの投入口に、被裁断物が円滑且つ容易に投入されるようにするための技術として、例えば特許文献１に開示されたものがある。
特許文献１に開示の技術は、投入口の複数箇所に半月状に突起形成したガイドを、被裁断物の表裏で千鳥に線当たりするように配置し、皿ネジで固定するというものである。
【特許文献１】登録実用新案第３０２７２１９号公報
【発明の開示】
【発明が解決しようとする課題】
【０００３】
しかしながら、特許文献１に開示のシュレッダーに被裁断物を投入する際には、投入口の直上から被裁断物を差し込む必要があるので、この際に、裁断作業者が投入口の直上でかがみ込んだ拍子に、身に着けているネクタイが、投入口からシュレッダー内に入り込み、回転刃に巻き込まれるといった事故が生ずる危険性がある。
【０００４】
また、わざわざシュレッダーの場所に行くまでもなく、離れた位置から手を差し伸ばして被裁断物を投入できるようにし、細断作業の効率化を図りたい場合もある。
そこで、本発明は、離れた位置から手を差し伸ばしただけで、被裁断物をシュレッダー内に投入することができ、投入口における事故を低減できるシュレッダーの提供を目的とする。
【課題を解決するための手段】
【０００５】
上記課題を解決するために、ハウジングの上面に設けられた投入口から被裁断物を投入し、該被裁断物を回転刃で裁断し、該回転刃の下方に設けられた屑収容箱に排出するシュレッダーにおいて、前記ハウジングの上面の一端部から前記投入口に至る導入面を、円弧状の曲面で形成することを特徴とするものである。
また、前記ハウジング上面の一端部から前記投入口に至る導入面を、規格の用紙サイズに対応させて形成してもよい。                                        
【発明の効果】
【０００６】
請求項１に係る発明は、ハウジング上面の一端部から投入口に至る導入面を、円弧状の曲面に形成したので、ハウジングの上面に載置された被裁断物が円弧状の曲面を滑り落ち、円滑に投入口に導かれるようになる。
これによって、離れた位置から手を伸ばして被裁断物をハウジング上面の一端部に載置するだけで、裁断作業を行うことが可能となる。
【０００７】
請求項２に係る発明は、ハウジングの一端部から投入口に至る導入面を、Ａ４サイズ、Ｂ５サイズ、はがきサイズ等の規格の用紙サイズに対応させて形成したので、投入口に投入しようとしてハウジングの上面に載置した被裁断物が、ハウジングの上面から反対側に滑り落ちるのを防止できる。この場合の規格の用紙サイズとは、家庭用、コピー用紙裁断用、コンパクトディスク裁断用等のシュレッダーの用途に応じたものとする。
【発明を実施するための最良の形態】
【０００８】
本発明の好適な実施形態について、添付図面に基づいて説明する。なお、実施形態は以下の形態に限定されるものではなく、本発明の課題を解決し得るものであれば他の態様も可能である。
【実施例１】
【０００９】
図１は、本発明の第１実施形態のシュレッダー１を示す斜視図であり、図２は正面図であり、図３は側面図であり、図４は図２のＡ−Ａ線矢視断面図である。
このシュレッダー１は、紙やコンパクトディスクなどのシート状の被裁断物を裁断するもので、投入口３から投入された被裁断物を、ハウジング１０の内部に設けられた回転刃１２で裁断し、屑収容箱２０に排出するようになっている。投入口３には蓋３０が設けられており、使用時は、この蓋３０を開放して投入口３を露呈させ、不使用時は蓋３０で投入口３が遮蔽されるようになっている。
【００１０】
まず、シュレッダー１のハウジング１０の構成について説明する。ハウジング１０は、縦長直方体状の合成樹脂製の筺体からなるもので、正面の上部には前壁部１５が設けられ、中間部から下端部にかけては大きく開口されている。
この開口部に、屑収集容器２０が引き出し可能に収容されており、この屑収集容器の引き出し面２１（取出部材）によってハウジング１０の正面部が構成される（図２参照）。
【００１１】
ハウジング１０の上面は、図５に示すように、背面寄りの部位に投入口３が形成されている。ハウジング１０上面の正面側の端部から投入口３に向けて、図６に示すように、曲率半径が一定な円弧状の曲面からなる導入面１１が形成されている。
この導入面１１の長さＬは、Ａ４サイズのコピー用紙の長辺の長さに相当し、円弧の曲率半径が約２０ｃｍで中心角が約９０度の扇形の円弧に相当するように設計されている。
【００１２】
即ち、曲面の接線が水平方向から次第に斜度を増し、投入口付近においては略鉛直方向下向きになるような湾曲状態に導入面１１を形成したことにより、ハウジング上面の正面側の端に被裁断物を載せるだけで、被裁断物が導入面１１を滑り落ち、円滑に投入口３に投入されるようにできる。また、導入面１１の長さＬが、規格の用紙サイズに合わせたものなので、ハウジング上面の端部に載置した被裁断物が、投入口３とは反対側に落ちてしまうことを防止できる。
【００１３】
この導入面１１の下端部において幅２ｍｍ〜１０ｍｍ程度のスリット状の間隔をあけて、後壁面１３が対向配置される。この後壁面１３は、ハウジング１０の上面から連続し、ハウジング１０の内側に向けて垂設されている。この下端部のスリット状の間隙をもって、本実施形態のシュレッダー１の投入口３が形成される。
【００１４】
このように構成された投入口３の下方には、裁断作用を行うための一対の回転刃１２が配設されている。この回転刃１２は、筒状体の周面に鋭利な切断刃を多数設けたもので、２本の筒状体は、切断刃が対向するように水平に並列させて配置され、両端部においてハウジング１０内部に設けられたフレームに回転可能に支承されている。
【００１５】
この回転刃１２の上方（例えば、導入面１１の所定部位）には、図示しないセンサが取り付けられており、そのセンサが被裁断物の通過を検知することによって、図示しない駆動モータが作動し、回転刃１２が回転するようになっている。
回転刃１２を回転させるための駆動モータは、ハウジング１０に設けられた図示しない電源スイッチをＯＮにすることによって閉じる電源回路に接続されている。
【００１６】
上記回転刃１２を駆動させるための一連の機器は、屑収集箱２０を前方に引き出した際に表れる前壁部１５によって保護されている。
この回転刃１２の下方には、屑収集箱２０が引き出し可能に収容されている。この場合、回転刃１２の下方に屑投入口２２が開口されており、回転刃１２によって裁断された後の裁断屑が屑収集箱２０に受け集められるようになっている。
【００１７】
屑収集箱２０が裁断屑で満杯になった際には、引き出し面２１を前方に引き出して、屑収集箱２０内の裁断屑を排出できるようになっている。
この引き出し面２１の上部の所定位置には、後述する蓋３０に設けられたロック部３２と係合する被ロック部２３が設けられている。この被ロック部２３は、図７に示すように、蓋３０の遮蔽時にロック部３２と係合し、ハウジング１０内に収容された状態の屑収集容箱２０を固定するためのものである。
【００１８】
この屑収集箱２０がハウジング１０内に収容された状態で、この引き出し面２１とハウジング１０とによって、シュレッダーの外殻体が構成されることとなる。
シュレッダーのハウジング１０の上面には、投入口３を覆う蓋３０が回動可能に取り付けられている。
【００１９】
この蓋３０は、ハウジング１０上面の背面側の端縁に設けられた回動支軸３１に枢支されており、前端において垂下された縁部の内側に設けられたロック部３２において、屑収集箱２０の引き出し面２１のロック部２３と係合可能となっている。
即ち、シュレッダーを使用しないときは、蓋３０によって投入口３が遮蔽されると共に、屑収集箱２０がハウジング１０内に収容され、引き出し不能な状態となる。この場合、ロック部３２の係合突起は内部に組み込まれたバネによって付勢されており、被ロック部２３の凹部に収容されることによって、バネの弾性変形によって被ロック部２３と係合状態になる。これによって、蓋３０が閉じた際に、自動的にロック状態になるようにすることができる。
【００２０】
シュレッダー１によって裁断作業を行なう際は、ロック解除の操作（例えば、蓋３０の縁部を押圧する）を行うことによって、蓋３０が開放され、投入口３が露呈されるようになっている。
この場合、ロック解除の操作によってシュレッダー１の電源が入るようにしてもよい。
【００２１】
上記構成のシュレッダー１の使用方法を説明する。
シュレッダー１を使用しないときは、縦長直方体状のハウジング１０の前面に屑収集箱２０の引き出し面２１が表れ、上面が蓋３０で遮蔽された状態である。このとき、ハウジング１０内に屑収集箱２０が収容され、投入口３が遮蔽された状態でロックされている。
【００２２】
使用の際には、蓋３０を開放して投入口３を露呈させ、ハウジング１０上面の前端部に被裁断物を載置する。すると、円弧状の導入面１１を被裁断物が滑り落ち、投入口３へと至る。投入口３からハウジング１０内部に投入された被裁断物は回転刃１２に至るが、この際、センサによって被裁断物の通過が検知されており回転刃１２は回転状態となっている。この回転状態の回転刃１２の間を被裁断物が通過することによって、被裁断物が回転刃１２に巻き込まれながら細かく裁断される。
【００２３】
このような裁断作業中に、屑収集箱２０が屑で満杯になった場合は、蓋３０を開放した状態で、屑収集箱２０の引き出し面２１を前方に引き出すことによって、屑収集箱を取り出すことができる。
このように、裁断作業と屑収集箱の取り出し作業を行なう時にのみ、蓋３０を開放し、それ以外のときは、蓋３０と屑収集箱２０を共に遮蔽し、ロック部によってその遮蔽状態を固定したので、幼児が悪戯で屑収集箱２０を引き出そうとしても、引き出すことができない。これによって、屑収集箱２０内の切断屑が周囲に散乱することがなく、また、屑収集箱２０が引き出された後の空間部からハウジング１０内部の回転刃１２に接触する虞もない。
【００２４】
また、シュレッダー１の投入口３に向かう導入面１１が、規格の用紙サイズに対応させて形成されている上に、円弧状の曲面で形成されているため、シュレッダー１の前端部から被裁断物を滑り込ませるだけで裁断作業を行うことができる。このため、作業者は、手を伸ばすことによって、離れた位置からでも被裁断物を投入することもできる。
これによって、投入口３の直上からかがみ込むような姿勢で被裁断物を投入する必要がなくなるので、裁断作業者がかがみ込んだ際に、身に着けているネクタイが投入口３からシュレッダー内に入り込み、回転刃１２に巻き込まれるといった事故を防止することもできる。
【００２５】
なお、本実施形態においては、投入口３を覆う蓋３０として、ハウジング１０に対して回動可能に取り付けられたものを採用したが、図８に示すように、スライド式の蓋３０’でもよい。この場合、蓋３０’のスライド方向端部に、屑収集箱２０の取り出し面と係合可能なロック部３２’を設けるようにする。このロック部３２’は、例えばマグネットの吸着力によって被ロック部２３’に固定させることもできる。
【００２６】
また、本実施形態においては、屑収集箱２０の前面の引き出し面２１を前方に引き出すことで、屑収集箱２０をそのままハウジング１０から取り出せるようにしたが、図９に示すように、ハウジング１０に扉２４を設け、扉２４を開けることによって屑収集箱２０を取り出せるようにしてもよい。この場合、扉２４に被ロック部２３”を設けることとする。
【００２７】
また、本実施形態においては、導入面１１の長さＬをＡ４サイズのコピー用紙の長辺に相当する長さとしたが、シュレッダーのサイズや使用目的に応じ、適当な長さにすることができる。
また、円弧の曲率についても、水平方向から次第に斜度を増して下降するような曲面であれば良く、楕円状の円弧曲面であってもよいし、放物線状の曲面であってもよい。
【実施例２】
【００２８】
本発明の第２実施形態に係るシュレッダーを、図１０を参照して説明する。このシュレッダーの正面図は図１１であり、側面図は図１２であり、平面図は図１３であり、底面図は図１４であり、断面図は図１５である。背面図には、ハウジング１０が表れることとなるが、図に表した場合は図１１と同一になるので省略する。また、左側面図は、右側面図と同一である。
【００２９】
このシュレッダーは、投入口３に蓋を設けず、円弧状の導入面１１がハウジング１０の上面に露呈されている点で、第１実施形態のシュレッダーと相違するのみである。即ち、ハウジング１０及び屑収集箱２０の構成は、第１実施形態のものと同一であるので、同一符号を付し、その説明を省略する。
この実施例においては、シュレッダー不使用時の安全性は、第１実施形態のものに比べて低いが、作業性が格段と向上される上に、外観デザインが良好なものとなる。
【産業上の利用可能性】
【００３０】
本発明は、業務用及び家庭用のシュレッダーに使用することができる。
【図面の簡単な説明】
【００３１】
【図１】本発明の第１実施形態に係るシュレッダーを示す斜視図である。
【図２】上記シュレッダーの正面図である。
【図３】上記シュレッダーの側面図である。
【図４】図２のＡ−Ａ線矢視断面図である。
【図５】上記シュレッダーの蓋を垂直に開放した状態を示す平面図である。
【図６】図４において屑収集箱をハウジング内に収容した状態を示す断面図である。
【図７】図６において蓋を閉めた状態を示す断面図である。
【図８】本実施形態の第１の変形例を示す斜視図である。
【図９】本実施形態の第２の変形例を示す斜視図である。
【図１０】本発明の第２実施形態に係るシュレッダーを示す斜視図である。
【図１１】上記シュレッダーの正面図である。
【図１２】上記シュレッダーの側面図である。
【図１３】上記シュレッダーの平面図である。
【図１４】上記シュレッダーの底面図である。
【図１５】上記シュレッダーの断面図である。
【符号の説明】
【００３２】
１、１００・・・シュレッダー
３・・・投入口
１０・・・ハウジング
１１・・・導入面
１２・・・回転刃
１３・・・後壁面
１５・・・前壁部
２０・・・屑収容箱
２０・・・蓋
２１・・・引き出し面（取出部材）
２２・・・屑投入口
２４・・・扉（取出部材）
２３、２３’・・・被ロック部
３０、３０’・・・蓋
３１・・・回動支軸
３２、３２’・・・ロック部
【図１】
2008068172.tif 000003
【図２】
2008068172.tif 000004
【図３】
2008068172.tif 000005
【図４】
2008068172.tif 000006
【図５】
2008068172.tif 000007
【図６】
2008068172.tif 000008
【図７】
2008068172.tif 000009
【図８】
2008068172.tif 000010
【図９】
2008068172.tif 000011
【図１０】
2008068172.tif 000012
【図１１】
2008068172.tif 000013
【図１２】
2008068172.tif 000014
【図１３】
2008068172.tif 000015
【図１４】
2008068172.tif 000016
【図１５】
2008068172.tif 000017